(57)【要約】【課題】異なる記録再生方式の２つの規格に対応でき、いずれの規格に準拠した再生手段によっても記録されたデータを再生できる再生専用媒体を提供する。【解決手段】ＨＤ規格に準拠した所定の厚さ（０．６ｍｍ）を有するＨＤ基板１０と、記録層２０と、記録層２０を挟んでＨＤ基板１０と対向する側に形成されたＢＤ規格に準拠した所定の厚さ（０．１ｍｍ）を有するＢＤ基板３０とを有して構成し、ディスク形状の再生専用媒体とする。【選択図】図１
2009123311.tif 000002
【特許請求の範囲】
【請求項１】
第１の規格に準拠し、前記第１の規格に準拠した所定の厚さを有し、予め所定の情報が前記第１の規格に準拠したフォーマットによりピット構造として形成された第１の基板と、
前記ピット構造と、前記ピット構造上に所定の反射率で形成された反射膜とを有して構成される記録層と、
前記記録層を挟んで前記第１の基板と対向する側に形成された第２の基板と、を有し、
前記第１の基板側から前記第１の規格に準拠した再生手段により前記記録層から前記情報を読み出し、また、前記第２の基板側から第２の規格に準拠した再生手段により前記記録層から前記情報を読み出すことを特徴とする再生専用媒体。
【請求項２】
所定の厚さを有する第１の基板と、
予め所定の情報が第１の規格に準拠したフォーマットにより形成された複数層のピット構造と、前記複数層のピット構造にそれぞれ所定の反射率で形成された反射膜を有して、前記第１の基板に順次積層された複数層の記録層と、
前記記録層を挟んで前記第１の基板と対向する側に形成された第２の基板と、を有し、
前記第１の基板側から前記第１の規格に準拠した再生手段により前記それぞれの記録層から前記情報を読み出し、また、前記第２の基板側から第２の規格に準拠した再生手段により前記それぞれの記録層から前記情報を読み出すことを特徴とする再生専用媒体。
【請求項３】
第１の規格に準拠し、前記第１の規格に準拠した所定の厚さを有し、予め所定の情報が前記第１の規格に準拠したフォーマットによりピット構造として形成された第１の基板と、
前記第１の規格に準拠したフォーマットにより形成された１または２層以上のピット構造と、前記ピット構造にそれぞれ所定の反射率で形成された反射膜を有して、前記第１の基板に順次積層されて形成された記録層と、
前記記録層を挟んで前記第１の基板と対向する側に形成された第２の基板と、を有し、
前記第１の基板側から前記第１の規格に準拠した再生手段により前記積層されたそれぞれの記録層から前記情報を読み出し、また、前記第２の基板側から第２の規格に準拠した再生手段により前記積層されたそれぞれの記録層から前記情報を読み出すことを特徴とする再生専用媒体。
【請求項４】
前記第１の規格は、ＨＤ規格であり、前記第２の規格は、ＢＤ規格であることを特徴とする請求項１から３のいずれかに記載の再生専用媒体。
【請求項５】
前記記録層は、金属、またはその合金、あるいは、酸化物、窒化物、炭化物、またはそれらの混合物からなる反射膜を有して形成されていることを特徴とする請求項１から３のいずれかに記載の再生専用媒体。
【請求項６】
前記積層された記録層は、酸化物、窒化物、炭化物、またはそれらの混合物からなる同一の誘電体記録膜によりそれぞれ形成されていることを特徴とする請求項２または３に記載の再生専用媒体。
【請求項７】
前記積層されたそれぞれの記録層の前記誘電体反射膜の反射率は、略同一であることを特徴とする請求項６に記載の再生専用媒体。
【請求項８】
前記積層された記録層は、前記第１の基板側から入射した光の前記それぞれの記録層からの反射率、および前記第２の基板側の反対の側から入射した光の前記それぞれの記録層からの反射率が、それぞれ５％から５０％に設定されていることを特徴とする請求項７に記載の再生専用媒体。
【請求項９】
請求項１から８のいずれかに係る再生専用媒体を使用し、
前記再生専用媒体を回転させて前記第１の規格に準拠して前記記録層から前記情報を読み出すか、
または、前記再生専用媒体を前記回転方向と逆方向に回転させて前記第２の規格に準拠して前記記録層から前記情報を読み出すことを特徴とする再生専用媒体の再生方法。
【請求項１０】
請求項１から８のいずれかに係る再生専用媒体を使用し、
前記再生専用媒体を回転させて前記第１の規格に準拠して前記記録層から前記情報を読み出すか、
または、前記再生専用媒体を前記回転方向と同方向に回転させて前記第２の規格に準拠した再生手段により前記記録層から前記情報に係る信号を読み出し、この読み出した前記信号を所定の回転毎に逆の時系列信号として出力することにより前記記録層から前記情報を読み出すことを特徴とする再生専用媒体の再生方法。
【請求項１１】
請求項２から８のいずれかに係る再生専用媒体を使用し、
前記第１の基板側から前記第１の規格に準拠して、前記それぞれの記録層から前記積層された所定の順序で前記情報を読み出すか、
または、前記第２の基板側から前記第２の規格に準拠して、前記それぞれの記録層から前記第１の基板側から読み出した順序と同じ順序で、前記情報を読み出すことを特徴とする再生専用媒体の再生方法。
【発明の詳細な説明】
【技術分野】
【０００１】
本発明は、光ディスク媒体の再生専用媒体に関し、特に、２つの規格に対応可能な再生専用媒体に関する。
【背景技術】
【０００２】
来るべき、ＨＤＴＶの時代に対応すべき光記録媒体は、一般に、次世代ＤＶＤと呼ばれるが、それには２つの規格（ＨＤ  ＤＶＤ、Ｂｌｕ−ｒａｙ  Ｄｉｓｋ、以下、それぞれ、ＨＤ規格、ＢＤ規格という。）がある。この２つの規格の違いは、基本的には、レンズのＮＡと基板の厚さ（光ヘッドがアクセスする側の基板の厚さは、ＢＤは０．１ｍｍ、ＨＤは０．６ｍｍである）に由来する。このために、同一のヘッドで異なった厚さの基板を通して、記録再生することが非常に困難である。そのために、両規格間の互換性が確保されず、それぞれ独立の市場を形成しようとしている。そのために、ユーザーは、どちらかの方式を選択する必要がある。その結果、ユーザーの買い控えが生じ、市場が活性化しないという、業界全体から見たら大きなマイナスになると予想される。
【０００３】
一方、著作権を考慮して、デジタル放送の録画は、１世代に限り９回までコピーできることになった。しかし、たとえば、一方の記録方式を選択し、後に他方の記録方式の媒体に情報を移動するためには、コピーが１世代に限られているため、一方の記録方式が廃れる場合、その記録方式で記録した情報を他方の記録方式の媒体に移動することができなくなる。そのために、ユーザーは、自分でそのリスクを負わなければならない事態に至っている。このリスクは、やはり、市場の活性化にとってマイナス要因になると予想される。
【０００４】
ここで、従来の光記録媒体として、ＣＤまたはＤＶＤプレーヤのいずれによっても再生することができ、半分高の標準方式コンパクトディスクの金属被覆基板と金属被覆ＤＶＤ基板を背中合わせに接着して１枚の両面ハイブリッドＤＶＤ−ＣＤディスクにした単一ディスクが提案されている（特許文献１）。この単一ディスクによれば、各側はそれに対応したプレーヤで再生することができる。例えば、ＣＤ側の方式は、従来のソニー／フィリップス方式のいずれでもよく、ＣＤ−オーディオ、ＣＤ−ＲＯＭ、ＣＤ−Ｉ、ＣＤ＋Ｇ、ＣＤ−ＲＯＭ ＸＡ、ＣＤ−ＰＬＵＳおよびＣＤ−ビデオが含まれる。また、ＤＶＤ側のディスク方式はＤＶＤ方式のいずれでもよく、ＤＶＤ−ビデオ、ＤＶＤ−ＲＯＭ、ＤＶＤ−オーディオが含まれる。この方式により、ＣＤまたはＤＶＤプレーヤのいずれでも再生できる単一ディスクによる光記録媒体が可能とされている。
【特許文献１】特表２０００３−５０９８７９号公報
【発明の開示】
【発明が解決しようとする課題】
【０００５】
しかし、特許文献１の光記録媒体は、異なる記録方式に対応したディスクを背中合わせに接着して１枚のディスクにしたものであって、ぞれぞれの記録方式に対応したディスクを２枚用意するのと実質的な差異はない。
【０００６】
また、１層の記録膜を有する従来の光記録媒体は、例えば、ＨＤ規格に基づいて記録された情報をＢＤ規格に基づいて再生することはできず、また、逆に、ＢＤ規格に基づいて記録された情報をＨＤ規格に基づいて再生することはできない。
【０００７】
従って、本発明の目的は、異なる記録再生方式の２つの規格に対応でき、いずれの規格に準拠した再生手段によっても記録されたデータを再生できる再生専用媒体を提供することにある。
【課題を解決するための手段】
【０００８】
［１］本発明は、上記目的を達成するために、第１の規格に準拠し、前記第１の規格に準拠した所定の厚さを有し、予め所定の情報が前記第１の規格に準拠したフォーマットによりピット構造として形成された第１の基板と、前記ピット構造と、前記ピット構造上に所定の反射率で形成された反射膜とを有して構成される記録層と、前記記録層を挟んで前記第１の基板と対向する側に形成された第２の基板と、を有し、前記第１の基板側から前記第１の規格に準拠した再生手段により前記記録層から前記情報を読み出し、また、前記第２の基板側から第２の規格に準拠した再生手段により前記記録層から前記情報を読み出すことを特徴とする再生専用媒体を提供する。
［２］本発明は、上記目的を達成するために、所定の厚さを有する第１の基板と、予め所定の情報が第１の規格に準拠したフォーマットにより形成された複数層のピット構造と、前記複数層のピット構造にそれぞれ所定の反射率で形成された反射膜を有して、前記第１の基板に順次積層された複数層の記録層と、前記記録層を挟んで前記第１の基板と対向する側に形成された第２の基板と、を有し、前記第１の基板側から前記第１の規格に準拠した再生手段により前記それぞれの記録層から前記情報を読み出し、また、前記第２の基板側から第２の規格に準拠した再生手段により前記それぞれの記録層から前記情報を読み出すことを特徴とする再生専用媒体を提供する。
［３］本発明は、上記目的を達成するために、第１の規格に準拠し、前記第１の規格に準拠した所定の厚さを有し、予め所定の情報が前記第１の規格に準拠したフォーマットによりピット構造として形成された第１の基板と、前記第１の規格に準拠したフォーマットにより形成された１または２層以上のピット構造と、前記ピット構造にそれぞれ所定の反射率で形成された反射膜を有して、前記第１の基板に順次積層されて形成された記録層と、前記記録層を挟んで前記第１の基板と対向する側に形成された第２の基板と、を有し、前記第１の基板側から前記第１の規格に準拠した再生手段により前記積層されたそれぞれの記録層から前記情報を読み出し、また、前記第２の基板側から第２の規格に準拠した再生手段により前記積層されたそれぞれの記録層から前記情報を読み出すことを特徴とする再生専用媒体を提供する。
［４］前記第１の規格は、ＨＤ規格であり、前記第２の規格は、ＢＤ規格であることを特徴とする上記［１］から［３］のいずれかに記載の再生専用媒体であってもよい。
［５］また、前記記録層は、前記記録層は、金属、またはその合金、あるいは、酸化物、窒化物、炭化物、またはそれらの混合物からなる反射膜を有して形成されていることを特徴とする［１］から［３］のいずれかに記載の再生専用媒体であってもよい。
［６］また、前記積層された記録層は、酸化物、窒化物、炭化物、またはそれらの混合物からなる同一の誘電体記録膜によりそれぞれ形成されていることを特徴とする上記［１］または［２］に記載の再生専用媒体であってもよい。
［７］また、前記積層されたそれぞれの記録層の前記誘電体反射膜の反射率は、略同一であることを特徴とする上記［６］に記載の再生専用媒体であってもよい。
［８］また、前記積層された記録層は、前記第１の基板側から入射した光の前記それぞれの記録層からの反射率、および前記第２の基板側の反対の側から入射した光の前記それぞれの記録層からの反射率が、それぞれ５％から５０％に設定されていることを特徴とする上記［７］に記載の再生専用媒体であってもよい。
［９］本発明は、上記目的を達成するために、上記［１］から［８］のいずれかに係る再生専用媒体を使用し、前記再生専用媒体を回転させて前記第１の規格に準拠して前記記録層から前記情報を読み出すと共に、前記再生専用媒体を前記回転方向と逆方向に回転させて前記第２の規格に準拠して前記記録層から前記情報を読み出すことを特徴とする再生専用媒体の再生方法を提供する。
［１０］本発明は、上記目的を達成するために、上記［１］から［８］のいずれかに係る再生専用媒体を使用し、前記再生専用媒体を回転させて前記第１の規格に準拠して前記記録層から前記情報を読み出すか、または、前記再生専用媒体を前記回転方向と同方向に回転させて前記第２の規格に準拠した再生手段により前記記録層から前記情報に係る信号を読み出し、この読み出した前記信号を所定の回転毎に逆の時系列信号として出力することにより前記記録層から前記情報を読み出すことを特徴とする再生専用媒体の再生方法を提供する。
［１１］本発明は、上記目的を達成するために、上記［２］から［８］のいずれかに係る再生専用媒体を使用し、前記第１の基板側から前記第１の規格に準拠して、前記それぞれの記録層から前記積層された所定の順序で前記情報を読み出すと共に、前記第２の基板側から前記第２の規格に準拠して、前記それぞれの記録層から前記第１の基板側から読み出した順序と同じ順序で、前記情報を読み出すことを特徴とする再生専用媒体の再生方法を提供する。
【発明の効果】
【０００９】
本発明によると、異なる記録再生方式の２つの規格に対応でき、いずれの規格に準拠した再生手段によっても記録されたデータを再生できる再生専用媒体を提供することができる。
【発明を実施するための最良の形態】
【００１０】
（本発明の第１の実施の形態に係る再生専用媒体）
図１は、本発明の第１の実施の形態に係るディスク状の再生専用媒体の一部の構造を示す断面斜視図である。第１の実施の形態に係る再生専用媒体１は、ＨＤ規格に準拠した所定の厚さ（０．６ｍｍ）を有するＨＤ基板１０と、記録層２０と、記録層２０を挟んでＨＤ基板１０と対向する側に形成されたＢＤ規格に準拠した所定の厚さ（０．１ｍｍ）を有するＢＤ基板３０とを有して構成され、ディスク形状とされている。
【００１１】
ＨＤ基板１０のレーザ光入射側面１０ａと反対側の面には、ＨＤ規格に準拠したフォーマットによりピット構造２１として予め所定の情報が形成されている。記録層２０は、このピット構造２１と、ピット構造上に所定の反射率で形成された反射膜２２とを有して構成される。
【００１２】
ＨＤ基板１０は、略０．６ｍｍ厚のポリカーボネート樹脂（ＰＣ）でディスク状に形成され、片面はレーザ光入射側として平滑な面に形成され、他の面は、後述する製造方法により、所定の記録情報に基づいてＨＤ規格に準拠したフォーマットによりピット構造２１として予めピット２１ａが記録ピットとして形成されている。尚、上記示したようなＨＤ規格に準拠したフォーマットによりピット構造２１として予め記録ピットを形成した再生専用媒体ではなく、ＢＤ規格に準拠したフォーマットによりピット構造２１として予め記録ピットを形成した再生専用媒体１とすることも可能である。
【００１３】
ピット２１ａは、ディスク状の再生専用媒体１の内周側から外周側まで螺旋状のピット列として形成され、レーザ光入射側面１０ａから見て凸の形状である（オンピット形状）。また、ピット深さは、略λ／４で形成されている。隣接するピット列のピッチ（トラックピッチＰ）は、ＨＤ規格では０．４μｍ、ＢＤ規格では０．３２μｍであり、第１の実施の形態に係る再生専用媒体１では０．３２〜０．４μｍの間に設定する。
【００１４】
記録層２０は、上記示したピット構造２１とこのピット構造２１上に形成された反射膜２２とを有して構成され、反射膜２２はＡｌ、Ａｇ等の金属、またはその合金、あるいは、酸化物、窒化物、炭化物、またはそれらの混合物からなる反射膜からなり、概略、ＨＤおよびＢＤの両規格で決められた反射率を実現するための膜厚に設定されている。
【００１５】
ＢＤ基板３０は、略０．１ｍｍ厚の紫外線硬化樹脂で、記録層２０を挟んでＨＤ基板１０と対向する側にスピンコート等により形成され、レーザ光入射側面３０aは平滑な面に形成されている。
【００１６】
（再生専用媒体１の製造方法）
図２は、第１の実施の形態に係る再生専用媒体１の製造方法を工程順に示す工程図である。尚、図２においてはクランプ用の穴を省略して図示している。本発明の第１の実施の形態に係る再生専用媒体１は、現行ＤＶＤの製造方法とほぼ同じ方法が使用可能である。
【００１７】
（スタンパ準備工程）
ＨＤ基板１０に予め所定の情報をピット構造２１として形成するため、成形用スタンパ１０１を製作等して準備する工程である（図２（ａ））。ガラスディスク等の上にレジスト塗布した後、ＬＢＲ（Laser Beam Recorder）と呼ばれる露光装置により所定の情報によりレーザ光を変調して露光する。レーザ光波長は、例えば、３５１ｎｍの紫外光が使用でき、ＮＡ０．９の対物レンズで露光すると０．２μｍ程度のピット構造が形成可能である。露光後、アルカリ溶液により現像、洗浄等の工程を経てピット構造を有する原盤が得られる。ＰＣ（ポリカーボネート）樹脂でＨＤ基板１０を射出成形するため、上記の原盤から電鋳等により金属スタンパを製作する。
【００１８】
（ディスク基板成形工程）
予め所定の情報をピット構造として形成された成形用スタンパ１０１により、ＨＤ基板１０を射出成形により製作する工程である（図２（ｂ））。ＨＤ基板１０は、ＰＣ（ポリカーボネート）樹脂により、厚さ０．６ｍｍで成形され、成形用スタンパ１０１によりピット構造２１が正確に転写される。
【００１９】
（反射膜形成工程）
ＨＤ基板１０のピット構造２１側に、反射膜としてＡｌ、Ａｇ等の金属、またはその合金をスパッタリングにより膜形成する工程である（図２（ｃ））。膜厚はＨＤおよびＢＤの両規格で決められた反射率を実現するための膜厚に設定されるが、具体的な数値については後述する。
【００２０】
（ＢＤ基板形成工程）
反射膜２２が形成されたＨＤ基板１０のピット構造２１側に、紫外線硬化樹脂をスピンコートにより、０．１ｍｍの厚さにＢＤ基板３０を形成する工程である（図２（ｄ））。以上の工程により、記録層２０を挟んで、片側が０．６ｍｍの厚のＨＤ基板１０、他の一方が０．１ｍｍ厚のＢＤ基板３０から構成される記録層が１層構造の再生専用媒体１が製作される。
【００２１】
（再生専用媒体１の再生用光ディスク装置）
図３は、再生専用媒体１を再生する光ディスク装置の構成ブロック図である。この光ディスク装置２００は、スピンドルモータ２０１、光ピックアップ２０２、サーボ回路２０３、レーザ駆動回路２０４、検出回路２０５、コントローラ２０６、記憶回路２０７、復調回路２０８、映像・音声処理回路２０９から概略構成されている。
【００２２】
スピンドルモータ２０１は、再生専用媒体１をどちらの面からもクランプ可能で、光ピックアップ２０２から見て時計方向（ＣＷ）または反時計方向（ＣＣＷ）に所定の回転数で回転可能とされている。再生専用媒体１のＨＤ基板１０側から光ピックアップ２０２で信号を読み出す場合はＣＣＷ回転とし、ＢＤ基板３０側から光ピックアップ２０２で信号を読み出す場合はＣＷ回転または読み出した信号の並べ替えを行なう方式で再生する場合はＣＣＷ回転とされている。これらの回転方向制御は、再生専用媒体１のリードイン情報に基づいて、コントローラ２０６からサーボ回路２０３を介してスピンドルモータ２０１の回転方向の極性を制御することで行なわれる。
【００２３】
光ピックアップ２０２は、波長４０５ｎｍの半導体レーザとこのレーザ光を記録層２０にフォーカスおよびトラッキングするためのフォーカスアクチュエータ、トラッキングアクチュエータ、レーザ光をフォーカスするための対物レンズ、再生専用媒体１からの反射光を検出するフォーカスおよびトラッキング用の光検出器から構成されている。光ピックアップ２０２全体は、再生専用媒体１の内周側と外周側の間で任意のトラックにアクセス可能となるようにシークあるいはジャンプ動作ができ、また再生専用媒体１に形成された螺旋状のピット列をトラッキングしながら順次読み出すことができる。尚、対物レンズは、ＮＡ０．６５〜ＮＡ０．８５の開口数のレンズを使用する。
【００２４】
サーボ回路２０３は、検出回路２０５からのフォーカスおよびトラッキング方向の信号をコントローラ２０６から入力し、これを基にフォーカスおよびトラッキングサーボ信号を生成して光ピックアップ２０２を駆動してフォーカスおよびトラッキング制御を行なう。また、コントローラ２０６からスピンドルモータ２０１の回転数制御および回転方向の極性制御を行なう。また、光ピックアップ２０２全体を所望のトラックにアクセス制御する。これにより、トラッキング制御、トラックジャンプ制御をしながら情報を順次読み出すことができる。
【００２５】
レーザ駆動回路２０４は、コントローラ２０６から所定のパワーで半導体レーザを駆動する。
【００２６】
検出回路２０５は、光ピックアップ２０２のフォーカスおよびトラッキング用の光検出器からの出力を基に、フォーカスおよびトラッキングサーボ信号を生成すると共に、再生専用媒体１に記録された情報をＲＦ信号として生成する。
【００２７】
コントローラ２０６は、内蔵するメモリに記憶された制御データに基づき所定のプログラムにより各部の制御を行なうと共に、再生専用媒体１の表裏、すなわち、ＨＤ基板１０側からの再生かＢＤ基板３０側からの再生かの判別を行なう。具体的な制御項目は、フォーカス制御、トラッキング制御、トラックジャンプ制御、スピンドルモータ２０１の回転数制御および回転方向の極性制御、レーザパワー制御、及び、後述する復調回路２０８へのＲＦ信号のスイッチング制御である。
【００２８】
記憶回路２０７は、検出回路２０５から出力されるＲＦ信号を再生専用媒体１の１回転から数回転分を順次記憶し、記憶されたデータを１回転毎に逆のアドレスから出力するものである。スピンドルモータ２０１の回転方向の極性を制御して再生する代わりに、１回転毎にトラックジャンプ（２トラックのキックバック）制御して、ＲＦ信号を逆方向の時系列信号として復調回路２０８に出力するためのもので、記憶回路２０７の処理時間を考慮して必要なメモリー量をバッファとして備える。尚、上記のトラックジャンプは、１回転毎に限られず、複数回転毎に行なってもよく、所定の回転毎に逆のアドレスから出力する方式としてもよい。
【００２９】
復調回路２０８は、検出回路２０５または記憶回路２０７から出力されたＲＦ信号を復調して再生データを生成し、映像・音声処理回路２０９に出力する。これにより、表示装置２１０に映像情報を表示すると共に、音声出力をすることができる。尚、復調回路２０８は、ＨＤ規格に準じてデータ復調を行なうＨＤデコーダ部またはＢＤ規格に準じてデータ復調を行なうＢＤデコーダ部を搭載している。
【００３０】
（再生専用媒体１の再生）
第１の実施の形態に係る再生専用媒体１は、ＨＤ規格に準拠したフォーマットによりピット構造２１として記録層２０が形成されている。この再生専用媒体１をスピンドルモータ２０１にクランプして、ＨＤ基板１０側から光ピックアップ２０２により再生する場合を示す。光ピックアップ２０２から見てスピンドルモータ２０１をＣＣＷ回転させて、記録層２０にフォーカスさせながら順次再生を行う。コントローラ２０６は、再生専用媒体１のリードイン情報に基づいてＨＤ規格に準拠したフォーマットにより記録されたものであること、ＨＤ基板１０側からの再生であること、また、スピンドルモータ２０１の回転方向極性とを判別して、検出回路２０５からＲＦ信号を復調回路２０８へ出力するようスイッチング制御する。復調回路２０８に入力されたＲＦ信号は、ＨＤデコーダ部により復調され再生データが生成される。
【００３１】
一方、ＨＤ規格に準拠した再生専用媒体１をＢＤ規格に準じて再生する場合を示す。この再生専用媒体１をＢＤ基板３０側から光ピックアップ２０２により再生するようスピンドルモータ２０１にクランプする。光ピックアップ２０２から見てスピンドルモータ２０１をＣＷ回転させて、記録層２０にフォーカスさせながら順次再生を行う。コントローラ２０６は、再生専用媒体１のリードイン情報に基づいてＨＤ規格に準拠したフォーマットにより記録されたものであること、ＢＤ基板３０側からの再生であること、また、スピンドルモータ２０１の回転方向極性（ＣＷ）とを判別して、検出回路２０５からＲＦ信号を復調回路２０８へ出力するようスイッチング制御する。復調回路２０８に入力されたＲＦ信号は、ＨＤデコーダ部により復調され再生データが生成される。
【００３２】
また、ＨＤ規格に準拠した再生専用媒体１をＢＤ規格に準じて再生する場合の他の方法を示す。この再生専用媒体１をＢＤ基板３０側から光ピックアップ２０２により再生するようスピンドルモータ２０１にクランプする。光ピックアップ２０２から見てスピンドルモータ２０１をＣＣＷ回転させて、記録層２０にフォーカスさせながら順次再生を行う。コントローラ２０６は、再生専用媒体１のリードイン情報に基づいてＨＤ規格に準拠したフォーマットにより記録されたものであること、ＢＤ基板３０側からの再生であること、また、スピンドルモータ２０１の回転方向極性（ＣＣＷ）とを判別して、検出回路２０５からＲＦ信号を記憶回路２０７へ出力するようスイッチング制御する。記憶回路２０７は、検出回路２０５から出力されるＲＦ信号を再生専用媒体１の１回転から数回転分を順次記憶し、記憶されたデータを１回転毎に逆のアドレスから復調回路２０８へ順次出力する。復調回路２０８に入力されたＲＦ信号は、ＨＤデコーダ部により復調され再生データが生成される。
【００３３】
（本発明の第２の実施の形態に係る再生専用媒体）
図４は、本発明の第２の実施の形態に係るディスク状の再生専用媒体の一部の構造を示す断面である。第２の実施の形態では、記録層２０が、Ｌ０層およびＬ１層が中間層２３を挟んで２層構成とされており、それぞれの層に反射膜２２が形成されている。
【００３４】
Ｌ０層およびＬ１層は、それぞれ、ピット構造２１とこのピット構造２１上に形成された反射膜２２とからなり、反射膜２２は、酸化物、窒化物、炭化物、またはそれらの混合物からなる同一の誘電体反射膜からなり、概略、ＨＤおよびＢＤの両規格で決められた反射率を実現するための膜厚に設定されている。具体的な反射率は後述する。
【００３５】
Ｌ０層およびＬ１層には、それぞれディスク内周部にリードイン情報として、Ｌ０またはＬ１層である識別ピットが形成され、多層構造での再生が容易にできる構成とされている。その他の構成は、第１の実施の形態に係る再生専用媒体１と同様であり、説明を省略する。
【００３６】
（本発明の第３の実施の形態に係る再生専用媒体）
図５は、本発明の第２の実施の形態に係るディスク状の再生専用媒体の一部の構造を示す断面である。第３の実施の形態では、記録層２０として、Ｌ０層、Ｌ１層、およびＬ２層が中間層２３をそれぞれ挟んで３層構成とされており、それぞれの層に反射膜２２が形成されている。
【００３７】
Ｌ０層、Ｌ１層、およびＬ２層は、それぞれ、ピット構造２１とこのピット構造２１上に形成された反射膜２２とからなり、反射膜２２は、酸化物、窒化物、炭化物、またはそれらの混合物からなる同一の誘電体反射膜からなり、概略、ＨＤおよびＢＤの両規格で決められた反射率を実現するための膜厚に設定されている。具体的な反射率は後述する。
【００３８】
Ｌ０層、Ｌ１層、およびＬ２層には、それぞれディスク内周部にリードイン情報として、Ｌ０層、Ｌ１層、またはＬ２層である識別ピットが形成され、多層構造での再生が容易にできる構成とされている。その他の構成は、第１および第２の実施の形態に係る再生専用媒体１と同様であり、説明を省略する。
【００３９】
（本発明の第２および第３の実施の形態に係る再生専用媒体の製造方法）
第２および第３の実施の形態に係る再生専用媒体は、記録層２０が、多層構成のものであり、以下に、一例として、第２の実施の形態に係る記録層２０が２層構成の再生専用媒体の製造方法を示す。
【００４０】
図６は、第２の実施の形態に係る２層構成の再生専用媒体の製造方法を工程順に示す工程図である。尚、図６においてはクランプ用の穴を省略して図示している。
【００４１】
（ＨＤ基板準備工程）
反射膜２２が形成されたＨＤ基板１０を準備する工程である（図６（ａ））。具体的には、図２（ａ）〜（ｃ）に示した工程によりＨＤ基板１０を製作することにより、ＨＤ基板１０を準備することができる。この段階で、Ｌ０層が形成されている。なお、反射膜２２は、金属、またはその合金の酸化物、窒化物、炭化物、またはそれらの混合物からなる同一の誘電体反射膜で形成されている。
【００４２】
（樹脂スタンパによる中間層成形工程）
ポリカーボネート製の樹脂スタンパ２０１をＨＤ基板１０に対向させ、間に紫外線硬化樹脂をスピンコートして、中間層２３を成形する工程である（図６（ｂ））。中間層２３には樹脂スタンパ２０１のピット構造が転写されると共に、中間層２３の厚さが０．０２５ｍｍに成形される。尚、透過性の樹脂スタンパ２０１を使用するので、紫外線が中間層２３まで透過して硬化可能である。
【００４３】
（Ｌ１層形成工程）
樹脂スタンパ２０１を中間層２３から剥離し、Ｌ１層に反射膜として、酸化物、窒化物、炭化物、またはそれらの混合物からなる同一の誘電体反射膜をスパッタリングにより形成する工程である（図６（ｃ））。柔軟性を有する樹脂スタンパ２０１を使用するので、反射膜２２の剥離が抑制できて高精度のピット構造が形成可能である。
【００４４】
（ＢＤ基板形成工程）
紫外線硬化樹脂をスピンコートにより、０．０７５ｍｍ厚のＢＤ基板３０を形成する工程である（図６（ｄ））。以上の工程により、記録層２０を挟んでＬ０層およびＬ１層の２層構造を有し、片側が０．６ｍｍの厚のＨＤ基板１０、他の一方が０．１ｍｍ厚のＢＤ基板３０から構成される記録層２０が２層構造の再生専用媒体１が製作される。
【００４５】
以上は、第２の実施の形態に係る再生専用媒体１の製造方法を示したが、第３の実施の形態に係る記録層が３層構造の再生専用媒体１やさらに多層構造の再生専用媒体についても同様の工程により層数を増加させるこよにより製造することが可能である。
【００４６】
（反射膜２２の反射率の設定）
第２または第３の実施の形態に係る再生専用媒体１の記録膜２２を同一の記録膜２２と、膜厚も同じ膜厚とすることで、Ｌ０、Ｌ１、Ｌ２層の反射率に多少の反射率差は許容するが、ＨＤヘッド、ＢＤヘッドの両ヘッドによる再生信号強度には差が出ないようにする。第２の実施の形態に係る再生専用媒体１において、ＨＤ用ヘッドに近い側の層をＬ０層、ＢＤヘッドに近い側の層をＬ１層とする。それぞれの層を誘電体からなるほとんど吸収を無視できる高屈折率材料で構成し、膜厚を同じに設定する。Ｌ０層およびＬ１層の反射率をｒ、透過率をｔとすると、ヘッドから遠い層からの反射率は、
ｔ２ｒ      式（１）
ヘッドから近い層からの反射率は
ｒ          式（２）
一方、吸収を無視すると、ｔ＝１−ｒであるから、
式（１）はｒ（１−ｒ）２      式（３）
となる。
【００４７】
図７は、ＨＤヘッドから再生する場合のＬ０、Ｌ１、Ｌ２層の反射率を示す図である。式（２）および式（３）から、同じ反射率となる解は無い（図７参照）ので、なるべく反射率差を小さくし、かつ、信号検出上からあまり小さくない反射率を確保する条件を選択する。それぞれの層の反射率の差は、ヘッド側のレーザパワーをコントロールすることにより、同じ反射強度を得られるようにすることができる。
【００４８】
第３の実施の形態に係る記録層が３層構造の再生専用媒体１の場合も、同様である。Ｌ０、Ｌ１、Ｌ２層の反射膜２２からのそれぞれの反射率は、先の２層媒体と同様の材料、膜厚設定を用いると、図７に示すように以下のようになる。
Ｌ０層からの反射率    ｒ（１−ｒ）４      式（４）
Ｌ１層からの反射率    ｒ（１−ｒ）２      式（５）
Ｌ２層からの反射率    ｒ                  式（６）
図７に示す計算結果から、各層の反射膜の反射率が小さくなればなるほど、各層からの反射率の差が小さくなることを示している。一方で、サーボ信号強度、信号品質を考慮すると、極端な低パワーは避けるのが好ましく、最低５％の反射率が必要である。その場合、Ｌ０、Ｌ１、Ｌ２各層からの反射率は、それぞれ、４、４．５、５％となり、ほとんど差がなくなり、ほんのわずかの補正でよいことが分かる。ＢＤ−ＲＯＭの規格では、２層媒体の場合、反射率は、１２〜２８％必要とされている。この規格にフィットさせようとすると、反射膜２２の反射率を、約５％から５０％、あるいは約１０％から４０％の間に設定すれば、規格を満たすことが判る。再生ドライブ側から見ると、レーザパワーを一定で駆動するほうが好ましく、その観点からは、反射膜２２の反射率を約５％に設定するのが好ましい。
【００４９】
（本発明の第２および第３の実施の形態に係る再生専用媒体の再生）
第１の実施の形態に係る再生専用媒体１の再生は、記録層２０が１層のみであったが、記録層２０が多層に構成されている場合は、再生専用媒体１のＬ０層、Ｌ１層、またはＬ２層に形成された識別ピットに対応したリードイン情報に基づいて、各層の判別を行いながら再生する。すなわち、図３に示したコントローラ２０６は、記録層２０がＬ０層、Ｌ１層、またはＬ２層であることを判別し、ＨＤ基板１０側からＨＤ規格に準じて光ピックアップ２０２により再生する場合は、Ｌ０層、Ｌ１層、Ｌ２層の順序により順次再生を行い、ＢＤ基板３０側からＢＤ規格に準じて光ピックアップ２０２により再生する場合も、Ｌ０層、Ｌ１層、Ｌ２層の順序により順次再生を行なう。上記の再生順序は、再生専用媒体１がＨＤ規格に準拠してＬ０層、Ｌ１層、Ｌ２層の順に情報がピット構造２１として記録層２０に記録されている場合である。
【００５０】
ＨＤ基板１０側からＨＤ規格に準じて光ピックアップ２０２により再生する場合と、ＢＤ基板３０側からＢＤ規格に準じて光ピックアップ２０２により再生する場合は、多層構造の順序を互いに同じ順序で再生することにより、ＨＤ規格およびＢＤ規格の両規格に対応した再生が可能となる。尚、コントローラ２０６は、サーボ回路２０３のフォーカスサーボにおけるオフセット値を変化させることにより上記示したＬ０層、Ｌ１層、Ｌ２層の任意の層にフォーカスサーボをオンにすることができ、リードイン情報に基づいて、各層の再生順序を制御する。その他については第１の実施の形態に係る再生専用媒体１の再生と同様であり、説明を省略する。
【００５１】
（本発明の実施の形態の効果）
ＨＤ規格により作製した媒体を、ＢＤ用光ヘッドで再生できるので、コンテンツ配布事業者にとっては、１つのコンテンツに対して２重の作業、手間が省けるので、コスト、時間等の大幅な節約が期待される。また、将来、どちらかの規格が廃れたとしても、どちらかのドライブで再生できるので、ユーザーにとってもコンテンツを長く保存し、活用できる。
【００５２】
本発明の実施の形態では、再生専用媒体１をＨＤ規格により作製し、これをＨＤ用光ヘッドまたはＢＤ用光ヘッドで再生する場合を示したが、再生専用媒体１がＢＤ規格により作製され、これをＨＤ用光ヘッドまたはＢＤ用光ヘッドで再生することも同様に可能である。
【実施例１】
【００５３】
本実施例は、１層媒体の例である。ＰＣ基板上に、成型によりＨＤ準拠の信号がカッティングされているＨＤ基板１０を用いる。そのＨＤ基板１０上に、約１００ｎｍのアルミニューム（Ａｌ）合金膜をＤＣスパッタリングにより形成し、その上に０．１ｍｍの厚さのカバー層を紫外線硬化樹脂により形成してＢＤ基板３０とした。上記媒体をＨＤ用記録試験機（波長４０５ｎｍのレーザー光源、ＮＡ０．６５のレンズを使用、線速度（６．６１ｍ／ｓ））により信号を再生した。その結果、反射率は、５５％となった。また、ＢＤ用試験機（波長４０５ｎｍのレーザー光源、ＮＡ０．８５のレンズを使用、線速度４．９２ｍ／ｓ）により、信号を再生した。その結果、反射率は、５３％となり、ＨＤと同様の信号波形を観測することができた。
【実施例２】
【００５４】
本実施例は、２層媒体の例である。ＰＣ基板上に、成型によりＨＤ準拠のＬ０層に対する記録ピットがカッティングされているＨＤ基板１０を用いた。そのＨＤ基板１０上に、約５０ｎｍの酸化チタン膜をＤＣスパッタリングにより形成し、その上に約２５μｍの紫外線硬化樹脂からなる中間層をスピンコーティングにより形成し、樹脂スタンパーを用いて、Ｌ１層の記録ピットを形成し、その上に約５０ｎｍの酸化チタン膜をＤＣスパッタリングにより形成した。さらにその上に紫外線硬化樹脂からなるＢＤ基板３０を約７５μｍ、スピンコーティングにより形成した。上記媒体をＨＤ用記録試験機（波長４０５ｎｍのレーザー光源、ＮＡ０．６５のレンズを使用、線速度（６．６１ｍ／ｓ））により信号を再生した。その結果、反射率は、ＨＤ基板１０側から見てＬ０層に対しては１２％を、Ｌ１層に対しては約８％を得た。また、ＢＤ用試験機（波長４０５ｎｍのレーザー光源、ＮＡ０．８５のレンズを使用、線速度４．９２ｍ／ｓ）により、信号を再生した。その結果、反射率は、Ｌ１層に対しては１１％、および、Ｌ０層に対しては９％を得られ、同様の信号波形を再生できることを確認した。
【実施例３】
【００５５】
本実施例は、３層媒体の例である。ＰＣ基板上に、成型によりＨＤ準拠のＬ０層に対する記録ピットがカッティングされているＨＤ基板１０を用いた。そのＨＤ基板１０上に、約１０μｍの紫外線硬化樹脂からなる中間層をスピンコーティングにより形成し、樹脂スタンパーを用いて、Ｌ１層の記録ピットを形成し、その上に約５０ｎｍの酸化チタン膜をＤＣスパッタリングにより形成し、さらにその上に、約１５μｍの紫外線硬化樹脂からなる中間層をスピンコーティングにより形成し、樹脂スタンパーを用いて、Ｌ２層の記録ピットを形成し、その上に約５０ｎｍの酸化チタン膜をＤＣスパッタリングにより形成し、さらにその上に、０．０７５ｍｍのＢＤ基板３０を紫外線硬化樹脂により形成した。上記媒体をＨＤ用記録試験機（波長４０５ｎｍのレーザー光源、ＮＡ０．６５のレンズを使用、線速度（６．６１ｍ／ｓ））により信号を再生した。その結果、反射率は、Ｌ０、Ｌ１、Ｌ２層に対して、１１、８、６．５％の反射率を得た。同様に、ＢＤ用試験機（波長４０５ｎｍのレーザー光源、ＮＡ０．８５のレンズを使用、線速度４．９２ｍ／ｓ）により、信号を再生した結果、Ｌ０、Ｌ１、Ｌ２層に対して、反射率６．３、７．８、１１％を得た。
【実施例４】
【００５６】
本実施例は、酸化チタンの膜厚を３０ｎｍに変えた例である。実施例３と同様に、ＨＤ用試験機、およびＢＤ用試験機により、再生実験を行った。その結果、ＨＤ用記録試験機（波長４０５ｎｍのレーザー光源、ＮＡ０．６５のレンズを使用、線速度（６．６１ｍ／ｓ））により信号を再生した場合、反射率は、Ｌ０、Ｌ１、Ｌ２層に対して、５、４．５、４．２％の、ＢＤ用試験機（波長４０５ｎｍのレーザー光源、ＮＡ０．８５のレンズを使用、線速度４．９２ｍ／ｓ）により、信号を再生した結果、Ｌ０、Ｌ１、Ｌ２層に対して、反射率３．９、４．４、４．９％を得た。
【図面の簡単な説明】
【００５７】
【図１】図１は、本発明の第１の実施の形態に係るディスク状の再生専用媒体の一部の構造を示す断面斜視図である。
【図２】図２は、第１の実施の形態に係る再生専用媒体１の製造方法を工程順に示す工程図である。
【図３】図３は、再生専用媒体１を再生する光ディスク装置の構成ブロック図である。
【図４】図４は、本発明の第２の実施の形態に係るディスク状の再生専用媒体の一部の構造を示す断面である。
【図５】図５は、本発明の第２の実施の形態に係るディスク状の再生専用媒体の一部の構造を示す断面である。
【図６】図６は、第２の実施の形態に係る２層構成の再生専用媒体の製造方法を工程順に示す工程図である。
【図７】図７は、ＨＤヘッドから再生する場合のＬ０、Ｌ１、Ｌ２層の反射率を示す図である。
【符号の説明】
【００５８】
１‥再生専用媒体、  １０‥ＨＤ基板、  ２０‥記録層、  ２１‥ピット構造、  ２２‥反射膜、  ２３‥中間層、  ３０‥ＢＤ基板
【図１】
2009123311.tif 000003
【図２】
2009123311.tif 000004
【図３】
2009123311.tif 000005
【図４】
2009123311.tif 000006
【図５】
2009123311.tif 000007
【図６】
2009123311.tif 000008
【図７】
2009123311.tif 000009